【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
高速ダウリングパケットアクセス（ＨＳＤＰＡ）サービスを提供する方法において、
ＨＳＤＰＡチャネルの使用のために割り当てられた少なくとも最大許容ＨＳＤＰＡ送信パワーレベルと複数のタイムスロットを示す少なくとも１つの制御信号を受信するステップであって、各々の割り当てられたタイムスロットのＣ送信パワーレベルは前記割り当てられたタイムスロットについて示された最大許容ＨＳＤＰＡ送信パワーレベルを超えることは許されない、ステップと、
所定の期間中に前記許容タイムスロットの少なくとも１つの前記パワーの測定結果を示す少なくとも１つのフィードバック信号を送信するステップと
を含むことを特徴とする方法。
【請求項２】
高速ダウリングパケットアクセス（ＨＳＤＰＡ）サービスを提供する方法において、
ＨＳＤＰＡチャネルの使用のために割り当てられた少なくとも最大許容ＨＳＤＰＡ送信パワーレベルと複数の送信時間間隔（ＴＴＩ）を示す少なくとも１つの制御信号を受信するステップであって、各々の割り当てられたＴＴＩのＣ送信パワーレベルは前記割り当てられたＴＴＩについて示された最大許容ＨＳＤＰＡ送信パワーレベルを超えることは許されない、ステップと、
所定の期間中に前記許容ＴＴＩの少なくとも１つの前記パワーの測定結果を示す少なくとも１つのフィードバック信号を送信するステップと
を含むことを特徴とする方法。
【請求項３】
高速ダウリングパケットアクセス（ＨＳＤＰＡ）サービスを提供する方法において、
ＨＳＤＰＡチャネルの使用のために割り当てられた少なくとも最大許容ＨＳＤＰＡ送信パワーレベルと複数のタイムスロットを示す少なくとも１つの制御信号を送信するステップであって、各々の割り当てられたタイムスロットのＣ送信パワーレベルは前記割り当てられたタイムスロットについて示された最大許容ＨＳＤＰＡ送信パワーレベルを超えることは許されない、ステップと、
所定の期間中に前記許容タイムスロットの少なくとも１つの前記パワーの測定結果を示す少なくとも１つのフィードバック信号を受信するステップと
を含むことを特徴とする方法。
【請求項４】
高速ダウリングパケットアクセス（ＨＳＤＰＡ）サービスを提供する方法において、
ＨＳＤＰＡチャネルの使用のために割り当てられた少なくとも最大許容ＨＳＤＰＡ送信パワーレベルと複数の送信時間間隔（ＴＴＩ）を示す少なくとも１つの制御信号を送信するステップであって、各々の割り当てられたＴＴＩのＣ送信パワーレベルは前記割り当てられたＴＴＩについて示された最大許容ＨＳＤＰＡ送信パワーレベルを超えることは許されない、ステップと、
所定の期間中に前記許容ＴＴＩの少なくとも１つの前記パワーの測定結果を示す少なくとも１つのフィードバック信号を受信するステップと
を含むことを特徴とする方法。
【請求項５】
前記所定の期間が少なくとも１００ｍｓであることを特徴とする請求項１乃至４のいずれかに記載の方法。
【請求項６】
前記許容ＴＴＩの少なくとも１組が周波数分割二重（ＦＤＤ）セルフレームに含まれていることを特徴とする請求項２または４に記載の方法。
【請求項７】
前記ＦＤＤセルフレームが１０ｍｓの長さを有し、各ＴＴＩが２ｍｓの長さを有する請求項６に記載の方法。
【請求項８】
前記制御信号は、非ＨＳＤＰＡサービスのために留保された十分なパワーが存在することを確保するように、前記許容ＨＳＤＰＡ送信パワーレベルを制限することを特徴とする請求項１乃至４のいずれかに記載の方法。
【請求項９】
高速ダウリングパケットアクセス（ＨＳＤＰＡ）サービスを提供する基地局であって、
ＨＳＤＰＡチャネルの使用のために割り当てられた少なくとも最大許容ＨＳＤＰＡ送信パワーレベルと複数のタイムスロットを示す少なくとも１つの制御信号を受信するように構成された受信機であって、各々の割り当てられたタイムスロットの送信パワーレベルは前記割り当てられたタイムスロットについて示された最大許容ＨＳＤＰＡ送信パワーレベルを超えることは許されない、受信機と、
所定の期間中に前記許容タイムスロットの少なくとも１つの前記パワーの測定結果を示す少なくとも１つのフィードバック信号を送信するように構成された送信機と
を含むことを特徴とする基地局。
【請求項１０】
高速ダウリングパケットアクセス（ＨＳＤＰＡ）サービスを提供する基地局であって、
ＨＳＤＰＡチャネルの使用のために割り当てられた少なくとも最大許容ＨＳＤＰＡ送信パワーレベルと複数の送信時間間隔（ＴＴＩ）を示す少なくとも１つの制御信号を受信するように構成された受信機であって、各々の割り当てられたＴＴＩの送信パワーレベルは前記割り当てられたＴＴＩについて示された最大許容ＨＳＤＰＡ送信パワーレベルを超えることは許されない、受信機と、
所定の期間中に前記許容ＴＴＩの少なくとも１つの前記パワーの測定結果を示す少なくとも１つのフィードバック信号を送信するように構成された送信機と
を含むことを特徴とする基地局。
【請求項１１】
前記所定の期間が少なくとも１００ｍｓであることを特徴とする請求項９または１０に記載の基地局。
【請求項１２】
前記許容ＴＴＩの少なくとも１組が周波数分割二重（ＦＤＤ）セルフレームに含まれていることを特徴とする請求項１０に記載の基地局。
【請求項１３】
前記ＦＤＤセルフレームが１０ｍｓの長さを有し、各ＴＴＩが２ｍｓの長さを有する請求項１０に記載の基地局。
【請求項１４】
前記制御信号は、非ＨＳＤＰＡサービスのために留保された十分なパワーが存在することを確保するように、前記許容ＨＳＤＰＡ送信パワーレベルを制限することを特徴とする請求項９または１０に記載の基地局。
【請求項１５】
高速ダウリングパケットアクセス（ＨＳＤＰＡ）サービスを提供する無線ネットワークコントローラ（ＲＮＣ）において、
ＨＳＤＰＡチャネルの使用のために割り当てられた少なくとも最大許容ＨＳＤＰＡ送信パワーレベルと複数のタイムスロットを示す少なくとも１つの制御信号を送信ように構成され、各々の割り当てられたタイムスロットのＣ送信パワーレベルは前記割り当てられたタイムスロットについて示された最大許容ＨＳＤＰＡ送信パワーレベルを超えることは許されない、ように構成された送信機と、
所定の期間中に前記許容タイムスロットの少なくとも１つの前記パワーの測定結果を示す少なくとも１つのフィードバック信号を受信するように構成された受信機と
を含むことを特徴とするＲＮＣ。
【請求項１６】
高速ダウリングパケットアクセス（ＨＳＤＰＡ）サービスを提供する無線ネットワークコントローラ（ＲＮＣ）において、
ＨＳＤＰＡチャネルの使用のために割り当てられた少なくとも最大許容ＨＳＤＰＡ送信パワーレベルと複数の送信時間間隔（ＴＴＩ）を示す少なくとも１つの制御信号を送信ように構成され、各々の割り当てられたＴＴＩのＣ送信パワーレベルは前記割り当てられたＴＴＩについて示された最大許容ＨＳＤＰＡ送信パワーレベルを超えることは許されない、ように構成された送信機と、
所定の期間中に前記許容ＴＴＩの少なくとも１つの前記パワーの測定結果を示す少なくとも１つのフィードバック信号を受信するように構成された受信機と
を含むことを特徴とするＲＮＣ。
【請求項１７】
前記所定の期間が少なくとも１００ｍｓであることを特徴とする請求項１５または１６に記載のＲＮＣ。
【請求項１８】
前記許容ＴＴＩの少なくとも１組が周波数分割二重（ＦＤＤ）セルフレームに含まれていることを特徴とする請求項１６に記載のＲＮＣ。
【請求項１９】
前記ＦＤＤセルフレームが１０ｍｓの長さを有し、各ＴＴＩが２ｍｓの長さを有する請求項１８に記載のＲＮＣ。
【請求項２０】
前記制御信号は、非ＨＳＤＰＡサービスのために留保された十分なパワーが存在することを確保するように、前記許容ＨＳＤＰＡ送信パワーレベルを制限することを特徴とする請求項１５または１６に記載のＲＮＣ。